(57)【要約】【課題】桟橋のコンクリート床版を従来よりも小さいブロックにして切り出し、かつ切断ブロックが落下しないように支持し、安全に吊り上げ撤去できる。【解決手段】杭頭部３を含む切断ブロック１２ａと杭頭部間の切断ブロック１２ｂを切り取るように縦、横の切断線１５、１６によりコンクリート床版１を平面的に区画する。縦、横の切断線１５、１６を跨ってブロックの上面に配設された押さえ金具２０の一端が杭頭部３を取り囲むようにその縁部を押さえる。押さえ金具２０の他端は縦、横の切断線１５、１６を介して杭頭部３の縁部と隔てられた側の切断ブロックを上下方向に貫通するアンカー部材１９の上端に固定される。縦と横の切断線１５、１６に沿って鉛直方向にブロックを切断し、杭頭部間の切断ブロック１２ｂを吊り上げ撤去した後、杭周辺を鉛直方向に切断し、杭２から切り離された杭頭部３を含む切断ブロック１２ａを吊り上げ撤去する。【選択図】図１
2006183285.tif 000002
【特許請求の範囲】
【請求項１】
桟橋の床版撤去方法において、杭頭部を含む切断ブロックと杭頭部間の切断ブロックが切り出されるように平面的に縦切断線と横切断線により床版を区画し、前記縦、横の切断線を跨ってブロックの上面に配設された押さえ金具の一端で杭頭部を含む切断ブロックの縁部を押さえ、かつ該押さえ金具は縦、横の切断線を介して杭頭部を含む切断ブロックの縁部と隔てられた側の切断ブロックを上下方向に貫通するアンカー部材の上端に固定し、前記縦、横の切断線に沿って鉛直方向にブロックを切断し、杭頭部間の切断ブロックを吊り上げ撤去した後、杭周辺を鉛直方向に切断し、杭から切り離された杭頭部を含む切断ブロックを吊り上げ撤去することを特徴とする桟橋床版撤去方法。
【請求項２】
前記押さえ金具は、所定長の溝形鋼で構成され、該溝形鋼の上面をアンカー部材のねじ部に螺合したナットにて押さえ、該ナットからさらに上方に伸びるアンカー部材の上端を吊ワイヤーを連結する吊治具のボルト挿入孔に通したうえナットにて締結することを特徴とする請求項１記載の桟橋床版撤去方法。
【請求項３】
前記縦、横の切断線で区画される杭頭部間の切断ブロックの重心位置と吊ワイヤーを一定長さに設定することによる吊り中心位置を合致させたことを特徴とする請求項１または２記載の桟橋床版撤去方法。
【発明の詳細な説明】
【技術分野】
【０００１】
本発明は、鉄筋コンクリート（ＲＣ構造）で施工された桟橋で、老朽化が進み、取り替えが必要となったコンクリート床版を撤去する方法に係り、該コンクリート床版を小さく切断して撤去し、かつ安全に切断・撤去する方法に関する。
【背景技術】
【０００２】
従来、老朽化した桟橋のコンクリート床版を切断して吊り上げ撤去する場合、切断されるコンクリートブロックの表面に盲孔を削孔し、その盲孔にアンカー部材を挿入し、アンカー部材を樹脂系の接着剤で固定するケミカルアンカー部材により吊り治具を固定し、クレーン等の揚重機により吊り上げて撤去する方法が採用されてきた。
【０００３】
すなわち、図７、図８に示すように、桟橋のコンクリート床版１は、杭２を打ち込みその杭頭部３に杭頭コンクリートを打設し、杭頭部３の間に梁４を含むコンクリートスラブを構築してコンクート床版１とされている。コンクリート床版１を老朽化により切断・撤去するときは、前後左右に多数存在する杭２とその間に一体的になって展在するコンクリート床版１を平面的にみて縦切断線５と横切断線６で示す位置をワイヤーソーで鉛直方向に切断するとともに、杭２の周辺をチエーンソーを用いて杭の周辺部切断線７に沿って鉛直方向に切断して、所定大きさの切断ブロック８を切り出し、この切断ブロック８の上面部にケミカルアンカー１０を取り付け、これにクレーン等の揚重機のワイヤーに取り付けた吊治具１１を連結して吊り上げて撤去する方法が採用されている。
【０００４】
コンクリート床版を切断して撤去する際、 切り取る切断ブロック８の大きさは、大きい方が切断回数を少なくできて好都合であるが、あまり大きい切断ブロックでは大型の揚重機が必要になり、運搬も困難で、さらには切断時に不安定であるなどの不利がある。このため前記両方の条件を満たすような大きさの切断ブロックとして切り出される。さらに、コンクリート床版は、杭頭部と他の部位でコンクリート厚が均一ではなく、部分ごとに厚い場所と薄い場所が存在し、このような大小様々な厚み断面が存在するコンクリート床版を所定の大きさの単位に切断したとき、コンクリートの重心が、切断ブロックの吊り上げ中心と一致しているとは限らず、中心部から外れた位置にあることが多い。
【０００５】
この場合、切断ブロックの平面対称の２点位置を吊り上げ支点とし、クレーン等の揚重機により吊り上げるとき、吊り上げ中心と切断ブロックの重心がずれているためアンバランスになって傾くことが多い。切断ブロックを吊り上げるとき、該切断ブロックが傾くとワイヤーソーの切断跡である１ｃｍ程度の切断間隙を介して隣接のコンクリート床版の切断面とぶつかり、水平を保って円滑に吊り上げることが困難になる。
【０００６】
前記の問題点に鑑みて、コンクリート床版等の複雑な形状のコンクリート構造物を切断してバランスを取りながら吊り上げ撤去する方法として、特開２００３−２５２５６３（特許文献１）が提案されている。この従来技術の撤去方法において、コンクリート床版を一回で吊り上げ作業で撤去するための１つの切断ブロックの大きさは、図７に示した縦、横の切断線５、６で示す切断区画から切り出されている。この切断ブロック８にはコンクリート厚が厚くて重量が大きくなる２つの柱頭部３が含まれているために大型のクレーン等の揚重機が必要である。
【特許文献１】特開２００３−２５２５６３号公報
【発明の開示】
【発明が解決しようとする課題】
【０００７】
桟橋の老朽化したコンクリート床版を切断・撤去するときの一つ一つの切断ブロックは、できるだけ小さい重量のブロックに切断すれば揚重機が小型ですみ、かつ、１ｃｍ程度の小さい切断間隙を介して安全確実に吊り上げるうえで好ましい。この点から、特開２００３−２５２５６３号公報のように、２つの杭頭部を含むブロックを１切断ブロック単位として切り出すと、この切断ブロックは重量が重くなり（この場合、普通は約５０トンの重量がある）、それに伴って吊り上げる重機も大型とならざるを得ない。
【０００８】
このことから、図７、図８の切断ブロックをさらに２分割して切断することが考えられる。その２分割の方法として、杭頭部の存在する切断ブロックの列と、杭頭部の存在しない切断ブロックの列との２列に分けて切断し、その後に、各列をさらに直角方向に切断して、２種類の小さい切断ブロックを切り出すことが考えられる。
【０００９】
しかし、その場合は、杭頭部の存在しない切断ブロックの列では、該切断ブロックが切断されると上方から吊り支持される部材が存在しないと、切断と共に落下する問題が生じる。また。杭頭部の存在する列の各切断ブロックには長手方向に片寄った位置に１つの杭頭部が存在するだけであるので、該切断ブロックの水平バランスを保って、かつ、小さい切断間隙を利用して安定に吊り上げるのは極めて困難である。
【００１０】
前記から従来は一般に、比較的バランスよく２点支持で吊り上げ可能な最小の切断ブロックとなるように、最低２つの柱頭部が含まれるように切断される。しかし、このような切断であると切断ブロックの重量が大きくなり、揚重機は大きな吊り上げ能力を有していることが必要となる。また、切断ブロックの重量が大きいほど、正確に水平を保って吊り上げる作業が困難となる。さらに、切断中も大きい重量を水平に支えて切断しなければならず、切断作業に困難が伴う。
【００１１】
本発明は、前記従来例の欠点に鑑みて提案されたもので、老朽化により切断・撤去する桟橋におけるコンクリート床版の切断ブロックをできるだけ小さいブロックに切断することで、小型の揚重機で安全、迅速に吊り上げ可能とする。また、杭頭部の存在する列と杭頭部の存在しない列とに分けて切断し、１つの杭頭部のある切断ブロックと、杭頭部間の切断ブロックの２種類が生じるように切断する。そして、杭頭部間の切断ブロックも切断時に簡易な支持手段で支持することで落下のおそれをなくし、かつ、両切断ブロックともに、円滑に吊り上げて撤去できるようにした、桟橋の床版撤去方法を提供することを目的とする。
【課題を解決するための手段】
【００１２】
前記の課題を解決するため、本発明は次のように構成する。
【００１３】
第１の発明は、桟橋の床版撤去方法において、杭頭部を含む切断ブロックと杭頭部間の切断ブロックが切り出されるように平面的に縦切断線と横切断線により床版を区画し、前記縦、横の切断線を跨ってブロックの上面に配設された押さえ金具の一端で杭頭部を含む切断ブロックの縁部を押さえ、かつ該押さえ金具は縦、横の切断線を介して杭頭部を含む切断ブロックの縁部と隔てられた側の切断ブロックを上下方向に貫通するアンカー部材の上端に固定し、前記縦、横の切断線に沿って鉛直方向にブロックを切断し、杭頭部間の切断ブロックを吊り上げ撤去した後、杭周辺を鉛直方向に切断し、杭から切り離された杭頭部を含む切断ブロックを吊り上げ撤去することを特徴とする。     
【００１４】
第２の発明は、第１の発明において、前記押さえ金具は、所定長の溝形鋼で構成され、該溝形鋼の上面をアンカー部材のねじ部に螺合したナットにて押さえ、該ナットからさらに上方に伸びるアンカー部材の上端を吊ワイヤーを連結する吊治具のボルト挿入孔に通したうえナットにて締結することを特徴とする。
【００１５】
第３の発明は、第１または第２の発明において、前記縦、横の切断線で区画される杭頭部間の切断ブロックの重心位置と吊ワイヤーを一定長さに設定することによる吊り中心位置を合致させたことを特徴とする。
【発明の効果】
【００１６】
本発明によると、杭頭部を含む切断ブロックと杭頭部間の切断ブロックを切り取ることで、従来よりも小さい区画で切断ブロックを切り取ることができ、これにより各切断ブロックの重量を軽くできるので、小型の揚重機をによる吊り上げが容易となり、かつ、アンバランスな切断ブロックの水平を確保して安全に撤去することができる。しかも、杭頭部のない側の切断ブロックは、吊り兼用押さえ金具を介して杭頭部のある切断ブロック側で支持されるので、前記押さえ金具により切断後も落下するおそれがなく、したがって、切断時に杭頭部間の切断ブロックを上方から吊り支持していなくても円滑に切断できる。吊り兼用押さえ金具の構成は簡潔である。
【００１７】
また、本発明の吊り兼用押さえ金具を設置することにより、所定面積を縦および横の切断線に沿って切断して複数の切断ブロックを切り取っておき、その後に切断ブロックを順次吊り上げて撤去できるので、ブロックの切断作業と吊り上げ作業にグループ化でき、１つの切断ブロック毎に切り出し作業と吊り上げ作業を交互に行う従来方法に比べて作業変えによる時間のロスが少なくでき撤去作業を効率的に行うことができる。
【００１８】
さらに、杭頭部間の切断ブロックの重心位置と吊ワイヤーを一定長さに設定切断され吊り上げ撤去される床版ブロックの重心位置を合致させて、当該切断ブロックを吊り上げるので、杭頭部間の切断ブロックの吊り上げ撤去作業が安全に且つ効率的に実施できる。
【発明を実施するための最良の形態】
【００１９】
本発明の実施形態を図により説明する。
【００２０】
図１は、桟橋の撤去予定のコンクリート床版を示す平面図であり、図２は、図１のＡ−Ａ断面図、図３（ａ）（ｂ）は、吊り兼用押さえ金具の詳細図、図４（ａ）（ｂ）は、切断ブロックの吊り上げのため、吊り兼用押さえ金具に吊治具を吊り降ろしている状態の詳細図、図５は、吊り兼用押さえ金具に吊治具を結合した状態を示す詳細図、図６は、コンクリート床版の端部の吊り上げ態様を示す詳細図である。
【００２１】
図１、図２に示すように、桟橋のコンクリート床版１は、杭頭部３に杭頭コンクリートを打設し、杭頭部３の間に梁４を含むコンクリートスラブを構築してコンクート床版１とされている。
【００２２】
本発明では、このコンクリート床版１を老朽化により切断・撤去するに際し、前後左右に多数存在する杭２とその間に一体的になって展在するコンクリート床版１を平面的にみて縦切断線１５と横切断線１６（切断予定線と同じ意味）で示す位置をワイヤーソーで鉛直方向に切断するとともに、杭２の周辺部を鉛直方向に切断することで、杭頭部３を杭２の周辺部から切離して、所定大きさの切断ブロック１２を切り出し、これをクレーン等の揚重機により吊り上げて撤去するに際し、切断ブロック１２を区画形成する縦切断線１５と横切断線１６の位置が従来と異なっていると共に、切断に際し、切断ブロックの転倒防止手段が従来と相違している。
【００２３】
さらに説明すると、杭頭部３の両側に沿って多数の縦切断線１５を区画することによって、杭頭部３を含む切断ブロック列１３と杭頭部間の切断ブロック列１４が横方向に交互に形成される。さらに縦切断線１５と直交して、かつ、各杭頭部３の一側に近接した位置に横切断線１６を通して区画することで、この横切断線１６と縦切断線１５とで区画される部位に一つの杭頭部３を含む切断ブロック１２ａと、杭頭部間の切断ブロック１２ｂとの２種類が区画形成される。このように一つの杭頭部３を含む切断ブロック１２ａと、杭頭部間の切断ブロック１２ｂの何れも、図７、図８に示す、従来の杭頭部３を２つ含む切断ブロックに比べて、その重量は大幅に低減化されている。
【００２４】
前記のとおり縦切断線１５は、杭頭部３の両側に沿って延長しており、横切断線１６は、各杭頭部３の一側に近接した位置を横方向に延長しているので、切り出された切断ブロック１２ａの杭頭部３は、平面的に長手方向の一側に片寄って位置している。また、杭頭部３の存在しない切断ブロック１２ｂでは、梁４が平面的にみて長手方向の一側に片寄って位置している。このことから、各切断ブロック１２ａ、１２ｂは各部でコンクリート床版の厚みが変化しており、いずれも重心が中心から偏って位置している。
【００２５】
また、縦、横の切断線１５、１６に沿ってコンクリート床版１から切断ブロック１２ａ、１２ｂを切り出す前に、押さえ金具１８とアンカー部材１９とからなる吊り兼用押さえ金具２０をコンクリート床版１の所定の平面位置に多数配設する。押さえ金具１８は、短尺に切断した２本の溝形鋼のウエブを背中合わせに配置して構成され、この押さえ金具１８は縦、横の切断線１５、１６を跨いでコンクリート床版１の上面に配置され、一端が杭頭部３に係合するように設けられる。
【００２６】
図３に示すようにアンカー部材１９は、切断ブロック１２を上下方向に貫通して設けられ、切断ブロック１２の下面においてアンカー部材１９の下端ねじ部にアンカープレートを介してナット２２を締結して固定されている。アンカー部材１９の上端部は、押さえ金具１８の２本の溝形鋼の間を立ち上がっており、その上端部のねじ部に螺合したナット２２にて定着板２３を介して溝形鋼の上面を押さえている。アンカー部材１９の上端はさらに所定寸法上方に伸びている。
【００２７】
揚重機（図示省略）から垂下する吊り上げワイヤー２４の下端には吊治具２５が設けられている。吊治具２５はボルト挿通孔２６が形成された底板２７の下面に脚部材２８を取り付けた箱型断面であり、躯体２９を横方向に貫通した支軸３０の両端にナット３１を締結し、該支軸３０に吊り上げワイヤー２４の下端が係合されている。
【００２８】
吊治具２５は、図４と図５に示すように上方から吊り降ろしてアンカー部材１９の上端を底板２７のボルト挿通孔２６に通し、ナット３２を締結することで吊治具２５を吊り兼用押さえ金具２０に固着できる。
【００２９】
図１に示すように杭頭部３を取り囲んで複数配設される吊り兼用押さえ金具２０のうち、両側部の４個の押さえ金具１８のアンカー部材１９は、杭頭部間の切断ブロック１２ｂの側に設けられていて、その押さえ金具１８の一端は杭頭部３の縁部を押さえている。また、杭頭部３を含む切断ブロック１２ａの列１３において、杭頭部３から離れた側の一端部３３にも吊り兼用押さえ金具２０のアンカー部材１９が設けられ、これに締結された押さえ金具１８の一端が杭頭部３の縁部を押さえている。
【００３０】
吊り兼用押さえ金具２０は、図１の（イ）部に示す配置で杭頭部３を取り囲むように多数設けられる。このとき吊り兼用押さえ金具２０は図３に示す状態にある。次に、縦切断線１５に沿って縦列を杭頭部３の両側に沿ってワイヤーソーなどで鉛直方向に切削する。この場合、コンクリート床版の厚み方向の下方から上方に向けて吊り兼用押さえ金具２０にぶつかる手前まで切断する。これによりコンクリート床版は、杭頭部３を含む切断ブロック列１３と、杭頭部間の切断ブロック列１４とに切断分離される。続いて横切断線１６に沿って横列を切削する。これにより、平面的に見て杭頭部３を含む切断ブロック１２ａと、杭頭部間の切断ブロック１２ｂが切り出される。
【００３１】
このとき杭頭部３はまだ、杭２自体とは切離されていないので、杭２を介して杭頭部３を含む列の切断ブロック１２ａは安定に自立している。他方、杭頭部間の切断ブロック１２ｂは、支持手段が存在しないと落下するが、吊り兼用押さえ金具２０を介して杭頭部３を含む切断ブロック１２ａに支持されるので落下しない。このようにしてコンクリート床版１の所定の面積に渡って多数の切断ブロック１２ａ、１２ｂを切り出しておく。
【００３２】
続いて、図４に示すように、クレーン等の揚重機（図示省略）から垂下する吊り上げワイヤー２４の下端に設けた吊治具２５を吊り降ろし、その底板２７のボルト挿通孔２６に吊り兼用押さえ金具２０のアンカー部材１９の上端ねじ部を挿通し、底板２７の上面でナット３２を締結して吊治具２５を吊り兼用押さえ金具２０に固定し、揚重機で杭頭部３の存在しない切断ブロック１２ｂを吊り上げる。
【００３３】
このとき切断ブロック１２ｂは、図１に示すように４箇所の吊り兼用押さえ金具２０で吊り上げられるので安定に水平を保って吊り上げることができる。この４個の吊り兼用押さえ金具２０は、平面的に見て切断ブロック１２ｂの片側に寄った位置に設けられているが、所定の計算により、この４箇所の吊り兼用押さえ金具２０による吊り上げ中心と、切断ブロック１２ｂの重心（記号３４で示す）の位置が一致するように設けてあり、一定長さ（約１０ｍ）の吊り上げ用ワイヤー２４により切断ブロック１２ｂの吊り上げ撤去作業が安全、効率的に行われる。
【００３４】
縦、横切断線１５、１６に沿ってコンクリート床版１を鉛直方向に切断し、杭頭部間の切断ブロック１２ｂを吊り上げて撤去することにより、杭頭部３を含む切断ブロック１２ａが杭２で支持された状態で残る。この各切断ブロック１２ａは、杭２と一体であるので落下するおそれはない。そこで次に、チエーンソーを用いて図１、図２に示す杭周辺部切断線１７に沿って杭２の周辺を平面的に見て矩形にかつ、鉛直方向に下方から上方に向けて切断する。これにより杭２の周辺に出張って設けられている杭頭部３を杭２から切り離すことができ、杭頭部３を含む切断ブロック１２ａが切り出される。切断ブロック１２ａは杭２から切離されたとき落下するので、その切断に際しては切断ブロック１２ａの長手方向の両端部をクレーン等の揚重機で吊り上げ支持した状態で切断し、切断が終わったならば、杭２を残して切断ブロック１２ａを吊り上げて撤去する。
【００３５】
図６には、杭周辺部切断線１７に沿って杭２の周辺を鉛直方向に下方から上方に向けて切断し、切断ブロック１２ａを杭２から切り離すときの切断ブロック１２ａの吊り支持状態が示されている。図６において、杭２から外れた位置において杭頭部３周辺を鉛直方向に貫通してアンカー部材３６を設け、杭頭部３の下面において、アンカー部材３６のねじ部にアンカープレートを介してナット３２を締結し、このアンカー部材３６を杭頭部３の上面から突出させる。さらに、アンカー部材３６を定着板３７と筒状部３８が一体の脚部材３９の内部を挿通し、さらに、筒状部３８の上端に載置した吊治具２５の底板２７のボルト挿通孔２６を通してアンカー部材３６を立ち上げ、底板２７の上面からアンカー部材３６の上端のねじ部にナット３２を締結することで吊治具２５を切断ブロック１２ａの杭頭部３に結合する。切断ブロック１２ａにおける杭頭部３と反対側の端部には、吊り兼用押さえ金具２０が設けられている。前記脚部材３９は、その上部に設置する吊治具２５（図６の左側）と押さえ金具１８の上部に設置する吊治具２５（図６の右側）の高さを揃えるために設けられる。
【００３６】
前記のように切断ブロック１２ａの長手方向の両端部に設けた２つの吊治具２５を揚重機の吊り上げ用ワイヤー２４で吊り上げ支持することで、切断ブロック１２ａを安定に支持して杭周辺部切断線１７に沿って杭２から切離できる。切離した後は切断ブロック１２ａを吊り上げて撤去できる。
【００３７】
前記のようにして、杭頭部の切断ブロック１２ａをその両端部に設置した２つの吊治具２５で支持することで、落下や傾斜の恐れなく切断ブロック１２ａを切り出すことができ、かつ、円滑に吊り上げることができる。
【図面の簡単な説明】
【００３８】
【図１】本発明の切断方法により撤去する予定の桟橋のコンクリート床版を示す平面図である。
【図２】図１のＡ−Ａ断面図である。
【図３】（ａ）は、図２のＢ部の吊り兼用押さえ金具の詳細図、（ｂ）は、図（ａ）のＣ−Ｃ断面図である。
【図４】（ａ）（ｂ）は、図３の吊り兼用押さえ金具に吊治具を吊り降ろす工程の説明図である。
【図５】（ａ）（ｂ）は、図４の吊り兼用押さえ金具に吊治具を結合した説明図である。
【図６】杭頭部切断ブロックの切断時と吊り上げ時の吊り支持構造を示す断面図である。
【図７】従来の切断方法により撤去予定の桟橋のコンクリート床版を示す平面図である。
【図８】図７のＤ−Ｄ断面図である。
【符号の説明】
【００３９】
１  コンクリート床版    
２  杭
３  杭頭部
４  梁部材
５  縦切断線
６  横切断線
７  杭の周辺部切断線
８  切断ブロック
１０  ケミカルアンカー
１１  吊治具
１２ａ 杭頭部を含む切断ブロック
１２ｂ 杭頭部間の切断ブロック
１２ｃ 周辺部切断ブロック 
１３  杭頭部を含む切断ブロック列
１４  杭頭部間の切断ブロック列
１５  縦切断線
１６  横切断線
１７  杭の周辺部切断線    
１８  押さえ金具
１９  アンカー部材
２０  吊り兼用押さえ金具
２１  ナット
２２  ナット
２３  定着板
２４  吊り上げ用ワイヤー
２５  吊治具
２６  ボルト挿通孔
２７  底板
２８  脚部材
２９  躯体
３０  支軸
３１  ナット
３２  ナット
３３  一端部
３４  重心
３５  外端部
３６  アンカー部材
３７  定着板
３８  筒状部
３９  脚部材
【図１】
2006183285.tif 000003
【図２】
2006183285.tif 000004
【図３】
2006183285.tif 000005
【図４】
2006183285.tif 000006
【図５】
2006183285.tif 000007
【図６】
2006183285.tif 000008
【図７】
2006183285.tif 000009
【図８】
2006183285.tif 000010